(57)【要約】【課題】フリーアクセスフロアにおいて、少数の圧電素子で効率的に発電効果を上げる。【解決手段】コンクリート面上に支持脚を立設し、支持脚の上にパネルを載置するフリーアクセスフロアにおいて、支持脚とパネルの間に圧電素子を配置する。【選択図】図２
2013147907.tif 000002
【特許請求の範囲】
【請求項１】
コンクリート面上に支持脚を立設し、前記支持脚の上にパネルを載置するフリーアクセスフロアにおいて、前記支持脚と前記パネルの間に圧電素子を配置したことを特徴とするフリーアクセスフロア。
【請求項２】
コンクリート面上に支持脚を立設し、前記支持脚の上にパネルを載置するフリーアクセスフロアにおいて、支持脚とコンクリート面の間に圧電素子を配置したことを特徴とするフリーアクセスフロア。
【請求項３】
コンクリート面上に支持脚を立設し、前記支持脚の上にパネルを載置するフリーアクセスフロアにおいて、前記支持脚は支柱部とナットと調整台から構成され、前記ナットと前記調整台の間に圧電素子を配置したことを特徴とするフリーアクセスフロア。
【請求項４】
コンクリート面上に支持脚を立設し、前記支持脚の上にパネルを載置するフリーアクセスフロアにおいて、連結部材と前記パネルの間に圧電素子を配置したことを特徴とするフリーアクセスフロア。
【請求項５】
コンクリート面上に支持脚部とパネル部が一体となった支持脚一体型パネルを用いるフリーアクセスフロアにおいて、前記パネルユニットの前記支持脚部とコンクリート面の間に圧電素子を配置したことを特徴とするフリーアクセスフロア。
【発明の詳細な説明】
【技術分野】
【０００１】
本発明は、発電機能を有するフリーアクセスフロアに関するものである。
【背景技術】
【０００２】
従来、人が歩行する際の荷重を利用して発電を試みたものとしては、特開平５−３９６６１（特許文献１）がある。
【０００３】
特許文献１の床板部材は、上面と下面の板部材の間に多数の圧電素子を並べて挟んだ構造であり、建物における通路等に設置され、歩行時の人の体重による荷重等を利用して発電させる機能を有するものである。
【先行技術文献】
【特許文献】
【０００４】
【特許文献１】特開平5-39661号公報
【発明の概要】
【発明が解決しようとする課題】
【０００５】
従来の人が歩行する際の荷重を利用した発電装置は、人が歩いた荷重が直接かかる部分の圧電素子を押圧することにより、発電をするものであった。人が通路のどの部分を通るかわからないがゆえ、確実に発電を行うためには圧電素子を通路全面に敷き詰めなければならず、したがって、多数の圧電素子が必要となる、という問題点があった。
【０００６】
そこで、本発明は、上記問題点に鑑みて、フリーアクセスフロアを利用して、少数の圧電素子で効率的に発電効果を上げることを課題とするものである。
【課題を解決するための手段】
【０００７】
上記課題を解決するために、本発明は、コンクリート面上に支持脚を立設し、支持脚の上にパネルを載置するフリーアクセスフロアにおいて、支持脚と前記パネルの間に圧電素子を配置したことを特徴とするものである。
【０００８】
また、本発明は、コンクリート面上に支持脚を立設し、支持脚の上にパネルを載置するフリーアクセスフロアにおいて、支持脚とコンクリート面の間に圧電素子を配置したことを特徴とするものである。
【０００９】
また、本発明は、コンクリート面上に支持脚を立設し、支持脚の上にパネルを載置するフリーアクセスフロアにおいて、支持脚は支柱部とナットと調整台から構成され、ナットと調整台の間に圧電素子を配置したことを特徴とするものである。
【００１０】
また、本発明は、コンクリート面上に支持脚を立設し、支持脚の上にパネルを載置するフリーアクセスフロアにおいて、連結部材と前記パネルの間に圧電素子を配置したことを特徴とするものである。
【００１１】
また、本発明は、コンクリート面上に支持脚部とパネル部が一体となった支持脚一体型パネルを用いるフリーアクセスフロアにおいて、支持脚一体型パネルの支持脚部とコンクリート面の間に圧電素子を配置したことを特徴とするものである。
【発明の効果】
【００１２】
このような本発明によれば、コンクリート面上に支持脚を立設し、支持脚の上にパネルを載置するフリーアクセスフロアにおいて、支持脚とパネルの間に圧電素子を配置することにより、少数の圧電素子で効率的に発電効果を上げることができる。
【００１３】
また、コンクリート面上に支持脚を立設し、支持脚の上にパネルを載置するフリーアクセスフロアにおいて、支持脚とコンクリート面の間に圧電素子を配置することにより、少数の圧電素子で効率的に発電効果を上げることができる。
【００１４】
また、コンクリート面上に支持脚を立設し、支持脚の上にパネルを載置するフリーアクセスフロアにおいて、支持脚は支柱部とナットと調整台から構成され、前記ナットと前記調整台の間に圧電素子を配置することにより、少数の圧電素子で効率的に発電効果を上げることができる。
【００１５】
また、コンクリート面上に支持脚を立設し、前記支持脚の上にパネルを載置するフリーアクセスフロアにおいて、連結部材と前記パネルの間に圧電素子を配置することにより、少数の圧電素子で効率的に発電効果を上げることができる。
【００１６】
また、コンクリート面上に支持脚部とパネル部が一体となった支持脚一体型パネルを用いるフリーアクセスフロアにおいて、支持脚一体型パネルとコンクリート面の間に圧電素子を配置することにより、少数の圧電素子で効率的に発電効果を上げることができる。
【図面の簡単な説明】
【００１７】
【図１】本発明の第一の実施の形態に係るフリーアクセスフロアの側面図である。
【図２】本発明の第一の実施の形態に係るフリーアクセスフロアを一部平面図である。
【図３】図１の支持脚の拡大図である。
【図４】本発明の第二の実施の形態に係るフリーアクセスフロアの側面図である。
【図５】本発明の第三の実施の形態に係るフリーアクセスフロアの側面図である。
【発明を実施するための最良の形態】
【００１８】
以下、本発明に係る発電機能を有するフリーアクセスフロアを実施するための最良の形態について、図面に基づいて具体的に説明する。
【００１９】
図１から図２は、本発明の第１の実施の形態に係る発電機能を有するフリーアクセスフロア４０について説明するために参照する図である。図３は、図１の支持脚の拡大図である。
【００２０】
フリーアクセスフロア４０は、図１に示すように、コンクリート面１６上に立設された支持脚６が、室内の床を構成するパネル４を、その下側から支持するような構造に構成されている。
【００２１】
上記支持脚６は、コンクリート面１６上に載置されるベースプレート１２と、このベースプレート１２上に立設するように下端側が溶着された支柱部１０と、支柱部１０とネジ止めされた調整台８とを備えており、この調整台８の上にパネル４の隅部が載置されるようになっている。
【００２２】
本実施の形態に係るフリーアクセスフロア４０では、この支持脚６の調整台８上面に圧電素子２を設置することにより、圧電素子２が、支持脚６とパネル４の間に配置されることとなる。
【００２３】
本実施の形態に係るフリーアクセスフロアにおいては、パネルのどの部分に荷重が掛かってもパネル四隅を支持する調整台に荷重がかかることとなる。したがって、調整台上面に設置した圧電素子に荷重がかかり押圧されることにより発電できるので、圧電素子を通路全面に配置しなくてもよく、従来よりも少ない個数の圧電素子で効率的に発電効果を上げることができる。
【００２４】
また、支持脚とコンクリート面の間に圧電素子を配置することによっても、同様に、従来よりも少ない個数の圧電素子で効率的に発電効果を上げることができる。
【００２５】
また、支持脚の調整台を支えるナットと調整台の間に圧電素子を配置することによっても、同様に、従来よりも少ない個数の圧電素子で効率的に発電効果を上げることができる。
【００２６】
なお、圧電素子を、支持脚とパネルの間と、支持脚とコンクリート面の間と、ナットと調整台の間の２か所、またはすべてに配置することも可能である。
【００２７】
図４は、第２の実施の形態に係る発電機能を有するフリーアクセスフロアについて説明するために参照する図である。
【００２８】
連結部材１８は、支持脚６と支持脚６の間に掛け渡され支持脚６同士を結合することにより、フリーアクセスフロア６０全体の安定性を向上するために用いられるものである。
【００２９】
本発明の第２の実施の形態では、連結部材１８の上面に圧電素子２を設置することにより、圧電素子２が、連結部材１８とパネル４の間に配置されることとなる。
【００３０】
これにより、本実施の形態に係るフリーアクセスフロアにおいては、パネルのどの部分に荷重が掛かっても、そのパネルがたわみ、パネルがたわむことにより連結部材上面に設置した圧電素子に荷重が掛かり押圧され発電できるので、圧電素子を通路全面に配置しなくてもよく、従来よりも少ない個数の圧電素子で効率的に発電効果を上げることができる。
【００３１】
図５は、第３の実施の形態に係る発電機能を有するフリーアクセスフロアについて説明するために参照する図である。
【００３２】
図５は、コンクリート面上に支持脚部とパネル部が一体となった支持脚一体型パネルを用いたフリーアクセスフロアの側面図である。
【００３３】
支持脚一体型パネル２０は、図５に示すように、パネル部２２と支持脚部２４から構成されている。
【００３４】
その支持台連結ユニットの支持脚部２４とコンクリート面１６との間に、圧電素子２を配置することによっても、第１・第２の実施の形態と同様に、従来よりも少数の圧電素子で効率的に発電効果を上げることができる。  
【００３５】
また、第１の実施の形態から第３の実施の形態を組み合わせて実施してもよい。
【００３６】
なお、圧電素子の上面に板部材を設置してもよい。  例えばパネル等の押圧する側の部材と圧電素子との接触面積が小さい場合でも、板部材を用いることにより、接触面積を大きくすることができる。
【００３７】
また、言うまでもなく、フリーアクセスフロアにおいて、パネルを載置する他の形態の支持脚の場合にも本発明は適用可能である。  
【符号の説明】
【００３８】
２  圧電素子
４  パネル
６  支持脚
８  調整台
１０  支柱部
１２  ベースプレート
１４  ナット
１６  コンクリート面
１８  連結部材
２０  支持脚一体型パネル
２２  パネル部
２４  支持脚部  
４０・５０・６０  フリーアクセスフロア
【図１】
2013147907.tif 000003
【図２】
2013147907.tif 000004
【図３】
2013147907.tif 000005
【図４】
2013147907.tif 000006
【図５】
2013147907.tif 000007